(57)【要約】  本発明は、チャネル状態情報（ＣＳＩ）を量子化する方法および装置に関する。本発明の実施形態によれば、基地局側で実装可能な、ＣＳＩを量子化する方法が提供される。方法は、基地局のアンテナ構成をユーザ機器にブロードキャストするステップであって、アンテナ構成が、垂直方向のアンテナ・ポートおよび水平方向のアンテナ・ポートを含むステップと、基準信号（ＲＳ）をユーザ機器に送信するステップと、ユーザ機器によってフィードバックされる、垂直方向のアンテナ・ポートに対応する垂直プリコーダおよび水平方向のアンテナ・ポートに対応する水平プリコーダを受信するステップと、受信した垂直プリコーダおよび水平プリコーダに基づき、垂直方向のアンテナ・ポートに対応する垂直コードブックおよび水平方向のアンテナ・ポートに対応する水平コードブックを使用して、プリコーダを再構築するステップと、を含む。
2017509280.tif 000002
【特許請求の範囲】
【請求項１】
チャネル状態情報（ＣＳＩ）を量子化する方法であって、
基地局のアンテナ構成をユーザ機器にブロードキャストするステップであって、前記アンテナ構成が、垂直方向のアンテナ・ポートおよび水平方向のアンテナ・ポートを含むステップと、
基準信号（ＲＳ）を前記ユーザ機器に送信するステップと、
前記ユーザ機器によってフィードバックされる、垂直方向の前記アンテナ・ポートに対応する垂直プリコーダおよび水平方向の前記アンテナ・ポートに対応する水平プリコーダを受信するステップと、
受信した前記垂直プリコーダおよび前記水平プリコーダに基づき、垂直方向の前記アンテナ・ポートに対応する垂直コードブックおよび水平方向の前記アンテナ・ポートに対応する水平コードブックを使用して、プリコーダを再構築するステップと、を含む方法。
【請求項２】
前記プリコーダを再構築するステップが、クロネッカー（Ｋｒｏｎｅｃｋｅｒ）積関数を使用して、前記垂直コードブックを前記水平コードブックと結合するステップを含む、請求項１に記載の方法。
【請求項３】
前記垂直コードブックおよび前記水平コードブックが、標準３６．２１１および３６．２１３によって仕様化されている、対応する数のアンテナ・ポートのコードブックである、請求項１に記載の方法。
【請求項４】
前記アンテナ構成が、８個、１６個、３２個、または６４個のアンテナ・ポートを含む、請求項１に記載の方法。
【請求項５】
チャネル状態情報（ＣＳＩ）を量子化する方法であって、
基地局のアンテナ構成を受信するステップであって、前記アンテナ構成が、垂直方向のアンテナ・ポートおよび水平方向のアンテナ・ポートを含むステップと、
垂直方向の前記アンテナ・ポートに適用される垂直コードブック、および水平方向の前記アンテナ・ポートに適用される水平コードブックを選択するステップと、
選択した前記垂直コードブックおよび前記水平コードブックを使用して、前記アンテナ構成のために結合されたコードブックを構築するステップと、
基準信号（ＲＳ）を受信し、受信した前記ＲＳに基づいてＣＳＩを推定するステップと、
推定した前記ＣＳＩに基づいて、結合された前記コードブックからプリコーダを選択するステップと、
選択した前記プリコーダに基づいて、垂直方向の前記アンテナ・ポートに対応する垂直プリコーダ、および水平方向の前記アンテナ・ポートに対応する水平プリコーダをフィードバックするステップと、を含む方法。
【請求項６】
結合されたコードブックを前記再構築するステップが、クロネッカー積関数を使用して、前記垂直コードブックを前記水平コードブックと結合するステップを含む、請求項５に記載の方法。
【請求項７】
前記垂直コードブックおよび前記水平コードブックが、標準３６．２１１および３６．２１３によって仕様化されている、対応する数のアンテナ・ポートのコードブックである、請求項５に記載の方法。
【請求項８】
前記プリコーダを選択するステップが、最大容量の原則または最大信号雑音比の原則に基づく、請求項５に記載の方法。
【請求項９】
前記アンテナ構成が、８個、１６個、３２個、または６４個のアンテナ・ポートを含む、請求項５に記載の方法。
【請求項１０】
基地局のアンテナ構成をユーザ機器にブロードキャストするブロードキャスタであって、前記アンテナ構成が、垂直方向のアンテナ・ポートおよび水平方向のアンテナ・ポートを含むブロードキャスタと、
基準信号（ＲＳ）を前記ユーザ機器に送信する送信機と、
前記ユーザ機器によってフィードバックされる、垂直方向の前記アンテナ・ポートに対応する垂直プリコーダ、および水平方向の前記アンテナ・ポートに対応する水平プリコーダを受信する受信機と、
受信した前記垂直プリコーダおよび前記水平プリコーダに基づき、垂直方向の前記アンテナ・ポートに対応する垂直コードブック、および水平方向の前記アンテナ・ポートに対応する水平コードブックを使用して、プリコーダを再構築する、再構築器と、
を備える基地局。
【請求項１１】
前記再構築器によってプリコーダを再構築することが、クロネッカー積関数を使用して、前記垂直コードブックを前記水平コードブックと結合することを含む、請求項１０に記載の基地局。
【請求項１２】
前記垂直コードブックおよび前記水平コードブックが、標準３６．２１１および３６．２１３によって仕様化されている、対応する数のアンテナ・ポートのコードブックである、請求項１０に記載の基地局。
【請求項１３】
基地局のアンテナ構成を受信する受信機であって、前記アンテナ構成が、垂直方向のアンテナ・ポートおよび水平方向のアンテナ・ポートを含む受信機と、
垂直方向の前記アンテナ・ポートに適用される垂直コードブック、および水平方向の前記アンテナ・ポートに適用される水平コードブックを選択する、コードブック選択器と、
選択した前記垂直コードブックおよび前記水平コードブックを使用して、前記アンテナ構成のために結合されたコードブックを構築する、構築器と、
基準信号（ＲＳ）を受信し、受信した前記ＲＳに基づいてチャネル状態情報（ＣＳＩ）を推定する、推定器と、
推定した前記ＣＳＩに基づいて、結合された前記コードブックからプリコーダを選択する、プリコーダ選択器と、
選択した前記プリコーダに基づいて、垂直方向の前記アンテナ・ポートに対応する垂直プリコーダ、および水平方向の前記アンテナ・ポートに対応する水平プリコーダをフィードバックする、フィードバック装置と、を備えるユーザ機器。
【請求項１４】
前記構築器によって結合されたコードブックを再構築することが、クロネッカー積関数を使用して、前記垂直コードブックを前記水平コードブックと結合することを含む、請求項１３に記載のユーザ機器。
【請求項１５】
前記垂直コードブックおよび前記水平コードブックが、標準３６．２１１および３６．２１３によって仕様化されている、対応する数のアンテナ・ポートのコードブックである、請求項１３に記載のユーザ機器。
【発明の詳細な説明】
【技術分野】
【０００１】
本発明は、無線通信のための方法および装置に関し、より具体的には、無線通信システムにおいてチャネル状態情報（ＣＳＩ：ｃｈａｎｎｅｌ  ｓｔａｔｅ  ｉｎｆｏｒｍａｔｉｏｎ）を量子化する方法および装置に関する。
【背景技術】
【０００２】
ロング・ターム・エボリューション（ＬＴＥ：Ｌｏｎｇ  Ｔｅｒｍ  Ｅｖｏｌｕｔｉｏｎ）／ロング・ターム・エボリューション・アドバンスト（ＬＴＥ−Ａ：Ｌｏｎｇ  Ｔｅｒｍ  Ｅｖｏｌｕｔｉｏｎ  Ａｄｖａｎｃｅｄ）システムのさらなる完成および性能改善に対する要求に鑑みて、産業界は、より多くの種類のシステム・ポリシー、例えば、ユーザ機器専用の垂直ビームフォーミングを実装するように、垂直方向のアンテナ・ポートに対する制御を増大させることを希望している。
【０００３】
現在のＬＴＥ／ＬＴＥ−Ａシステムでは、水平ビームフォーミングを使用してＣＳＩを量子化する方法が、広く用いられている。具体的には、リニア・アンテナ・アレイが、基地局に構築され、リニア・アンテナ・アレイが、ユーザ機器からのエネルギーの水平属性を判断し、ある方向に向けられた水平ビームを形成することができる。しかしながら、垂直方向のエネルギー制御については、サービング・セルへエネルギーをより集中させて、近隣セルへの干渉を減少させるように、アンテナ・アレイを物理的に下向きに小さな角度で傾斜させることだけが、現在実装可能である。下向きの傾斜角度は、カバレッジの要件変更全体を調整するように、セル内の基地局のより高いレイヤによって半静的な方法で調整される。
【０００４】
したがって、前述した水平ビームフォーミングおよびセル専用の下向き傾斜の改善では、ユーザ専用の方法で垂直方向の動的制御を行うことができない。
【発明の概要】
【発明が解決しようとする課題】
【０００５】
本発明の目的の１つは、ＬＴＥ／ＬＴＥ−Ａシステムの性能をさらに改善するように、アンテナ・アレイのＣＳＩを量子化するための有効な技術的解決策を提供することにある。
【課題を解決するための手段】
【０００６】
本発明の実施形態は、基地局側で実装され得る、ＣＳＩを量子化する方法を提供する。方法は、基地局のアンテナ構成をユーザ機器にブロードキャストするステップであって、アンテナ構成が、垂直方向のアンテナ・ポートおよび水平方向のアンテナ・ポートを含むステップと、基準信号（ＲＳ：ｒｅｆｅｒｅｎｃｅ  ｓｉｇｎａｌ）をユーザ機器に送信するステップと、ユーザ機器によってフィードバックされる、垂直方向のアンテナ・ポートに対応する垂直プリコーダおよび水平方向のアンテナ・ポートに対応する水平プリコーダを受信するステップと、受信した垂直プリコーダおよび水平プリコーダに基づき、垂直方向のアンテナ・ポートに対応する垂直コードブックおよび水平方向のアンテナ・ポートに対応する水平コードブックを使用して、プリコーダを再構築するステップと、を含む。
【０００７】
本発明の別の実施形態は、基地局側で実装され得る、ＣＳＩを量子化する方法を提供する。方法は、基地局のアンテナ構成を受信するステップであって、アンテナ構成が、垂直方向のアンテナ・ポートおよび水平方向のアンテナ・ポートを含むステップと、垂直方向のアンテナ・ポートに適用される垂直コードブック、および水平方向のアンテナ・ポートに適用される水平コードブックを選択するステップと、選択した垂直コードブックおよび水平コードブックを使用して、アンテナ構成のために結合されたコードブックを構築するステップと、ＲＳを受信し、受信したＲＳに基づいてＣＳＩを推定するステップと、推定したＣＳＩに基づいて、結合されたコードブックからプリコーダを選択するステップと、選択したプリコーダに基づいて、垂直方向のアンテナ・ポートに対応する垂直プリコーダ、および水平方向のアンテナ・ポートに対応する水平プリコーダをフィードバックするステップと、を含む。
【０００８】
本発明の実施形態では、プリコーダを再構築するステップが、クロネッカー（Ｋｒｏｎｅｃｋｅｒ）積関数を使用して、垂直コードブックを水平コードブックと結合するステップを含む。垂直コードブックおよび水平コードブックが、標準３６．２１１および３６．２１３によって仕様化されている、対応する数のアンテナ・ポートのコードブックである。アンテナ構成が、８個、１６個、３２個、または６４個のアンテナ・ポートを含む。結合されたコードブックを再構築するステップが、クロネッカー積関数を使用して、垂直コードブックを水平コードブックと結合するステップを含む。プリコーダを選択するステップが、最大容量の原則または最大信号雑音比の原則に基づく。
【０００９】
本発明の実施形態は、基地局をさらに提供し、基地局は、ブロードキャスタ、送信機、受信機、および再構築器を含む。ブロードキャスタが、基地局のアンテナ構成をユーザ機器にブロードキャストし、アンテナ構成が、垂直方向のアンテナ・ポートおよび水平方向のアンテナ・ポートを含む。送信機が、ＲＳをユーザ機器に送信する。受信機が、ユーザ機器によってフィードバックされる、垂直方向のアンテナ・ポートに対応する垂直プリコーダ、および水平方向のアンテナ・ポートに対応する水平プリコーダを受信する。再構築器が、受信した垂直プリコーダおよび水平プリコーダに基づき、垂直方向のアンテナ・ポートに対応する垂直コードブック、および水平方向のアンテナ・ポートに対応する水平コードブックを使用して、プリコーダを再構築する。
【００１０】
さらに、本発明の別の実施形態は、ユーザ機器を提供し、ユーザ機器は、受信機、コードブック選択器、構築器、推定器、プリコーダ選択器、およびフィードバック装置を含む。受信機が、基地局のアンテナ構成を受信し、アンテナ構成が、垂直方向のアンテナ・ポートおよび水平方向のアンテナ・ポートを含む。コードブック選択器が、垂直方向のアンテナ・ポートに適用される垂直コードブック、および水平方向のアンテナ・ポートに適用される水平コードブックを選択する。構築器が、選択した垂直コードブックおよび水平コードブックを使用して、アンテナ構成のために結合されたコードブックを構築する。推定器が、ＲＳを受信し、受信したＲＳに基づいてＣＳＩを推定する。プリコーダ選択器が、推定したＣＳＩに基づいて、結合されたコードブックからプリコーダを選択する。フィードバック装置が、選択したプリコーダに基づいて、垂直方向のアンテナ・ポートに対応する垂直プリコーダ、および水平方向のアンテナ・ポートに対応する水平プリコーダをフィードバックする。
【発明の効果】
【００１１】
本発明は、既存のＬＴＥ／ＬＴＥ−Ａ標準との完全な適合性に基づいて、水平コードブックを使用して、２次元アンテナ・アレイの性能を実装する。さらに、プリコーダをフィードバックするために必要なオーバヘッドが小さく、システム・スループットに対する影響が低い。
【図面の簡単な説明】
【００１２】
【図１】本発明の実施形態による、ＣＳＩを量子化する方法のフローチャートである。
【図２】図１の方法を実装し得る、本発明の実施形態による、ＣＳＩを量子化するシステムの概略的な構造図である。
【発明を実施するための形態】
【００１３】
本発明の思想をよりよく理解するために、以下では、いくつかの好ましい本発明の実施形態を参照して、本発明をさらに説明する。
【００１４】
ユーザ機器専用の垂直ビームフォーミングを実装する方法の１つは、全てのアンテナ・ポートでセル専用のチャネル状態情報−基準信号（ＣＳＩ−ＲＳ）を定期的に送信し、ユーザ機器のＣＳＩ−ＲＳに対応するＣＳＩ報告を使用して、垂直方向のビームフォーミングを実装することである。
【００１５】
しかしながら、周波数分割二重化（ＦＤＤ：ｆｒｅｑｕｅｎｃｙ  ｄｉｖｉｓｉｏｎ  ｄｕｐｌｅｘｉｎｇ）システムでは、アップリンク間の周波数は、ダウンリンク間の周波数とは独立しているため、ユーザ機器は、プリコーディング・マトリクス（ＰＭＩ：ｐｒｅｃｏｄｉｎｇ  ｍａｔｒｉｘ）によって示されるプリコーダを基地局にフィードバックしなければならない。しかしながら、既存のＬＴＥ／ＬＴＥ−Ａバージョンのコードブックは、水平方向に適用されるアンテナに向けてのみ最適化されており、垂直領域のチャネル性能は、水平領域のチャネル性能とは完全に異なる。
【００１６】
本発明は、既存のコードブックを十分に活用して、既存の標準への影響を最小化する。既存のＬＴＥ／ＬＴＥ−Ａシステムに完全に適合しながら、本発明により提供されるＣＳＩを量子化する方法および装置は、リニア・アンテナ・アレイを有効に使用して、ＬＴＥ／ＬＴＥ−Ａシステムの性能をさらに改善するように、垂直方向および水平方向の双方の属性を有するコードブックを実装する。
【００１７】
図１は、本発明の実施形態によるＣＳＩを量子化する方法のフローチャートである。フローチャートは、システムレベルのデモであり、基地局側およびユーザ機器側でそれぞれ実行される動作を含む。
【００１８】
図１に示すように、基地局側では、ステップ１０で、基地局４０が、そのアンテナ構成をユーザ機器５０にブロードキャストする。アンテナ構成は、垂直方向のアンテナ・ポートおよび水平方向のアンテナ・ポートを含む。ステップ１０は、システム開始中に、実行されるように選択され得る。
【００１９】
これに対応して、ユーザ機器側では、ステップ２０で、ユーザ機器５０が、基地局４０により送信されたアンテナ構成を受信する。受信したアンテナ構成に基づいて、ステップ２２で、ユーザ機器５０は、アンテナ構成中の垂直方向のアンテナ・ポートに適用される垂直コードブックと、アンテナ構成中の水平方向のアンテナ・ポートに適用される水平コードブックとを選択し、ステップ２４で、選択した垂直コードブックおよび水平コードブックを使用して、アンテナ構成のために結合されたコードブックを構築する。
【００２０】
基地局側では、ステップ１２で、基地局４０が、ＲＳをユーザ機器５０に送信する。
【００２１】
これに対応して、ユーザ機器側では、ステップ２６で、ＲＳが受信され、受信したＲＳに基づいてＣＳＩが推定される。ステップ２８で、ユーザ機器５０は、推定したＣＳＩに基づいて、結合されたコードブックからプリコーダを選択する。プリコーダは、ＰＭＩによって示されてもよい。ステップ３０で、ユーザ機器５０は、選択したプリコーダに基づいて、垂直方向のアンテナ・ポートに対応する垂直プリコーダおよび水平方向のアンテナ・ポートに対応する水平プリコーダを、基地局４０にフィードバックする。
【００２２】
基地局側では、ステップ１４で、基地局４０が、ユーザ機器５０によってフィードバックされる、垂直方向のアンテナ・ポートに対応する垂直プリコーダおよび水平方向のアンテナ・ポートに対応する水平プリコーダを受信する。次いで、ステップ１６で、受信した垂直プリコーダおよび水平プリコーダに基づいて、基地局４０は、垂直方向のアンテナ・ポートに対応する垂直コードブックおよび水平方向のアンテナ・ポートに対応する水平コードブックを使用して、プリコーダを再構築する。このようにして、ステップ１８で、基地局４０は、プリコーダを使用して、ＣＳＩの量子化を実装するようにプリコーディング処理を実行することができる。
【００２３】
前述のフローチャートの一連のステップは、説明を明確にするためにのみ使用され、実行の順番を必然的に限定するものではない。例えば、当業者には周知のように、ＲＳは、基地局４０によってユーザ機器５０に送信される情報に含まれてもよく、その情報とともに送信されてもよく、特別に送信される必要はない。したがって、ＲＳは、必ずしも、結合されたコードブック構築をユーザ機器５０が完了した後にのみ、送信および受信されるものではない。
【００２４】
８個のアンテナ・ポートを例として用いると、基地局４０は、Ｍｖ（Ｍｖ＝｛１，２，４，８｝）個の垂直アンテナ・ポート、およびＭｈ（Ｍｈ＝｛１，２，４，８｝）個の水平アンテナ・ポートを構成し得る。水平プリコーディング処理は、次のように示される。
ｙ＝ＨＷｓ＋ｎ  （１）
ここで、ｓは、メッセージ伝送を示し、Ｈは、送信機と受信機との間のチャネル実装を示し、ｎは、付加的白色ガウス雑音（ＡＷＧＮ：ａｄｄｉｔｉｖｅ  ｗｈｉｔｅ  Ｇａｕｓｓｉａｎ  ｎｏｉｓｅ）を示し、Ｗは、結合されたプリコーダを示す。Ｗは、以下の数式から得られる。
Ｗ＝ｋｒｏｎ｛Ｗｖ，Ｗｈ｝  （２）
ここで、ｋｒｏｎ｛・｝は、クロネッカー積関数を指し、ＷｖおよびＷｈはそれぞれ、垂直アンテナ・ポート用のプリコーダおよび水平アンテナ・ポート用のプリコーダを指す。Ｗｖは、垂直アンテナ・ポートの数に関係する垂直コードブックから選択され、Ｗｈは、水平アンテナ・ポートの数に関係する水平コードブックから選択される。垂直コードブックおよび水平コードブックはいずれも、既存の第３世代パートナーシップ・プロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）の標準３６．２１１および３６．２１３において仕様化されている。異なる数の垂直アンテナ・ポートおよび水平アンテナ・ポートについて、コードブック選択が、１つずつ表１にリスト化されている。ここで、Ｗｎは、標準３６．２１１および３６．２１３で仕様化されたコードブックを指す。
【００２５】
【表１】
2017509280.tif 000003
【００２６】
同様に、本発明は、例えば、１６個、３２個、６４個など、他の数のアンテナ・ポートに拡大することが可能である。表２、３および４は、それぞれアンテナ・ポートの数が１６個、３２個、および６４個の場合についての、結合されたプリコーダをリスト化したものである。ここで、Ｗｎは、標準３６．２１１および３６．２１３で仕様化されたコードブックを示す。当業者であれば、この内容に基づいて、さらなる類推的な拡張を行うことが可能である。
【００２７】
【表２】
2017509280.tif 000004
【００２８】
【表３】
2017509280.tif 000005
【００２９】
【表４】
2017509280.tif 000006
【００３０】
ユーザ機器側では、ユーザ機器５０が、垂直コードブックおよび水平コードブックでそれぞれ選択された垂直プリコーダＰＭＩｖおよび水平プリコーダＰＭＩｈをフィードバックする必要がある。次いで、結合されたコードブックからユーザ機器５０によって選択される符号語は、次のように示される。
Ｗ（ＰＭＩｖ，ＰＭＩｈ）＝ｋｒｏｎ｛Ｗｖ（ＰＭＩｖ），Ｗｈ（ＰＭＩｈ）｝  （３）
【００３１】
結合された符号語は、垂直方向および水平方向を含む２次元符号語である。
【００３２】
ユーザ機器５０は、符号語の選択時に、例えば、最大容量の原則、または最大信号雑音比などの、ある規則に従うことができ、この規則は、具体的には次のように示され得る。
【００３３】
【数１】
2017509280.tif 000007
【００３４】
ｓｉｚｅ｛ＣＢ｝関数は、対応するコードブックのサイズを返す。コードブックは、前述の表にリスト化されたように得られる。
【００３５】
ユーザ機器５０は、選択されたプリコーダを基地局４０にフィードバックする。次いで、基地局４０は、対応する垂直コードブックおよび水平コードブックからそれぞれ垂直プリコーダおよび水平プリコーダを選択し、次いで、あるルール、例えば、クロネッカー積関数に従って、プリコーディング処理のための結合されたプリコーダを計算する。
【００３６】
８個のアンテナ・ポートの特定の構成を、２個の垂直アンテナ・ポートおよび４個の水平アンテナ・ポートであると仮定すると、ランク１のＣｏｄｅｂｏｏｋｖｅｒｔｉｃａｌは、次のように示され得る。
【００３７】
【数２】
2017509280.tif 000008
【００３８】
ランク１のＣｏｄｅｂｏｏｋｈｏｒｉｚｏｎｔａｌは、次のように示され得る。
【００３９】
【数３】
2017509280.tif 000009
【００４０】
次いで、ＰＭＩｖ＝１のとき、Ｃｏｄｅｂｏｏｋｃｏｍｂｉｎｅｄは、次のように示され得る。
【００４１】
【数４】
2017509280.tif 000010
【００４２】
本発明の実施形態は、さらに、ＣＳＩを量子化する装置、例えば、基地局４０およびユーザ機器５０を提供する。図２は、図１の方法を実装し得る、本発明の実施形態による、ＣＳＩを量子化するシステムの概略的な構造図である。
【００４３】
図２に示すように、基地局４０は、ブロードキャスタ４２、送信機４４、受信機４６、および再構築器４８を含む。ブロードキャスタ４２は、基地局４０のアンテナ構成をユーザ機器５０にブロードキャストする。ここで、アンテナ構成は、垂直方向のアンテナ・ポートおよび水平方向のアンテナ・ポートを含む。送信機４４は、ＲＳをユーザ機器５０に送信する。受信機４６は、ユーザ機器５０によってフィードバックされる、垂直方向のアンテナ・ポートに対応する垂直プリコーダおよび水平方向のアンテナ・ポートに対応する水平プリコーダを受信する。再構築器４８は、受信した垂直プリコーダおよび水平プリコーダに基づいて、垂直方向のアンテナ・ポートに対応する垂直コードブックおよび水平方向のアンテナ・ポートに対応する水平コードブックを使用することによって、プリコーダを再構築する。
【００４４】
次に、ユーザ機器５０は、受信機５２、コードブック選択器５４、構築器５６、推定器５８、プリコーダ選択器６０、およびフィードバック装置６２を含む。受信機５２は、基地局４０のアンテナ構成を受信する。コードブック選択器５４は、垂直方向のアンテナ・ポートに適用される垂直コードブックおよび水平方向のアンテナ・ポートに適用される水平コードブックを選択する。構築器５６は、選択した垂直コードブックおよび水平コードブックを使用することによって、アンテナ構成のために結合されたコードブックを構築する。推定器５８は、ＲＳを受信し、受信したＲＳに基づいてＣＳＩを推定する。プリコーダ選択器６０は、推定したＣＳＩに基づいて、結合されたコードブックからプリコーダを選択する。フィードバック装置６２は、選択したプリコーダに基づいて、垂直方向のアンテナ・ポートに対応する垂直プリコーダおよび水平方向のアンテナ・ポートに対応する水平プリコーダをフィードバックする。
【００４５】
シミュレーションを比較すると、既存のコードブックと比べて、本発明のＣＳＩを量子化する方法および装置は、大量のフィードバック・オーバヘッドを省くことができる。例えば、８個のアンテナ・ポートに関しては、オーバヘッドの２５％を省くことができ、１６個、３２個、またはさらに多くのアンテナ・ポートに関して、より多くのオーバヘッドを省くことができる。
【００４６】
技術開発および標準の更新のため、同一の機能を有する構成要素に、複数の別の名称が概して存在することに留意すべきである。本発明の特許出願において使用される技術用語は、本発明の技術的解決策を説明し論証するために使用され、当技術分野において一般に知られる技術用語の機能は、基準として使用されるべきであり、技術用語は、名称の違いおよび類似点に従ってのみ恣意的に理解されることはできない。
【００４７】
本発明の技術的内容および技術的特徴が、上述のように開示されている。しかしながら、当業者であれば、本発明の教示および開示に基づいて、本発明の思想を逸脱することなく、さらなる代替および修正を行うことができる。したがって、本発明の保護の範囲は、実施形態によって開示された内容に限定されるべきでなく、本発明の思想を逸脱することのない、様々な代替および修正を含むべきであり、代替および修正は、本特許出願の特許請求の範囲によって包含されるべきである。
【図１】
2017509280.tif 000011
【図２】
2017509280.tif 000012
【国際調査報告】
2017509280.tif 000013
2017509280.tif 000014
2017509280.tif 000015
2017509280.tif 000016